【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
海中コネクタを備えた可撓管を海中移動装置上のコネクタ内に設置する方法であって、
水中の第１のコネクタに浮力を与えるために少なくとも部分的に浮揚性を有する可撓管に流体連結された前記第１のコネクタを準備し、
第１の浮揚性モジュールが連結されている第１のワイヤロープを前記第１のコネクタに連結し、
前記第１のコネクタから最も遠い前記第１のワイヤロープの先端部に重りを連結し、
該重りを支持面と係合させながら、前記第１のコネクタを海底に向けて降ろし、前記海中移動装置の近くに垂直方向に前記第１のコネクタを配置し、
前記海中移動装置上の第１のウィンチからのウィンチワイヤロープを前記第１のコネクタに連結し、
前記第１のコネクタを前記海中移動装置上のコネクタに連結する前に、前記第１のワイヤロープを前記第１のコネクタから外し、
前記第１のウィンチからのウィンチワイヤロープを用いて前記第１のコネクタを前記海中移動装置に向けて引っ張り、
前記第１のコネクタを前記海中移動装置上のコネクタに流体連結することを特徴とする方法。
【請求項２】
前記海中移動装置は海中採鉱機を備えていることを特徴とする請求項１に記載の方法。
【請求項３】
前記海中移動装置はパイプラインエンドターミナル（pipeline end terminal ）を備えていることを特徴とする請求項１に記載の方法。
【請求項４】
第２のコネクタが前記第１のコネクタから最も遠い前記可撓管の先端部に連結されており、浮揚性モジュールが、水中の前記第２のコネクタに浮力を与えるために前記第２のコネクタを備えた前記可撓管に作動的に連結されており、
前記第２のコネクタに、第２の浮揚性モジュールが連結されている第２のワイヤロープを連結し、
前記第２のコネクタから最も遠い前記第２のワイヤロープの先端部に第２の重りを連結し、
該第２の重りを前記海底に係合させながら、前記第２のコネクタを前記海底に向けて降ろし、第２の海中移動装置の近くに垂直方向に前記第２のコネクタを配置し、
前記第２の海中移動装置上の第２のウィンチからの第２のウィンチワイヤロープを前記第２のコネクタに連結し、
前記第２のワイヤロープを前記第２のコネクタから外し、
前記第２の海中移動装置上の第２のウィンチからの第２のウィンチワイヤロープを用いて前記第２の海中移動装置に向けて前記第２のコネクタを引っ張り、
前記第２のコネクタを前記第２の海中移動装置上のコネクタに流体連結することを特徴とする請求項３に記載の方法。
【請求項５】
前記第１のワイヤロープの前記第１のコネクタへの連結は、
前記第１のコネクタに第１の中間ワイヤロープを連結し、
前記第１のコネクタに第２の中間ワイヤロープを連結し、
前記第１のワイヤロープを前記第１及び第２の中間ワイヤロープに連結する
ことを含み、
前記第１のワイヤロープの前記第１のコネクタからの分離は、
前記第１のコネクタから前記第１及び第２の中間ワイヤロープの内の１本を外し、その後、
前記第１のコネクタから他方の中間ワイヤロープを外す
ことを含むことを特徴とする請求項１に記載の方法。
【請求項６】
前記海中移動装置上の第１のウィンチからのウィンチワイヤロープを前記第１のコネクタに連結した後、前記第１のコネクタから前記第１及び第２の中間ワイヤロープの内の１本を外すことを特徴とする請求項５に記載の方法。
【請求項７】
前記第１及び第２の中間ワイヤロープの内の１本を外した後、前記第１のワイヤロープに第２の浮揚性モジュールを連結することを特徴とする請求項６に記載の方法。
【請求項８】
前記第１の浮揚性モジュールの上方の前記第１のワイヤロープの一部に、水中で湾曲形状を形成させることを特徴とする請求項１に記載の方法。
【請求項９】
前記第１のコネクタのための浮力は、前記可撓管に連結された浮揚性モジュールにより与えられ、
前記可撓管に連結された浮揚性モジュールの上方の前記可撓管の一部に、水中で湾曲形状を形成させることを特徴とする請求項１に記載の方法。
【請求項１０】
前記可撓管に一又は複数の浮揚性モジュールを連結することを特徴とする請求項１に記載の方法。
【請求項１１】
海中コネクタを備えた可撓管を海中移動装置上のコネクタ内に設置する方法であって、
ポンプに上昇管を流体連結し、
前記ポンプから最も遠い先端部で第１のコネクタと流体連結されており、水中の前記第１のコネクタに浮力を与えるために少なくとも部分的に浮揚性を有する可撓管に前記ポンプを流体連結し、
前記第１のコネクタに第１のワイヤロープを連結し、
該第１のワイヤロープに第１の浮揚性モジュールを連結し、
前記第１のコネクタから最も遠い前記第１のワイヤロープの先端部に重りを連結し、
前記第１のコネクタを海底に向けて降ろし、
前記第１のコネクタの近くの海底に海中移動装置を降ろし、
該海中移動装置上の第１のウィンチからのワイヤロープを前記第１のコネクタに連結し、
前記第１のコネクタを前記海中移動装置上のコネクタに連結する前に、前記第１のワイヤロープを前記第１のコネクタから外し、
前記第１のコネクタを前記第１のウィンチからのワイヤロープを用いて前記海中移動装置に向けて引っ張り、
前記第１のコネクタを前記海中移動装置上のコネクタに流体連結することを特徴とする方法。
【請求項１２】
前記可撓管に一又は複数の浮揚性モジュールを連結することを特徴とする請求項１１に記載の方法。
【請求項１３】
前記第１のワイヤロープの前記第１のコネクタへの連結は、
前記第１のコネクタに第１の中間ワイヤロープを連結し、
前記第１のコネクタに第２の中間ワイヤロープを連結し、
前記第１のワイヤロープを前記第１及び第２の中間ワイヤロープに連結する
ことを含んでおり、
前記第１のワイヤロープの前記第１のコネクタからの分離は、
前記第１のコネクタから前記第１及び第２の中間ワイヤロープの内の１本を外し、
前記第１のコネクタから他方の中間ワイヤロープを外す
ことを含んでいることを特徴とする請求項１１に記載の方法。
【請求項１４】
前記海中移動装置上の第１のウィンチからのワイヤロープを前記第１のコネクタに連結した後、前記第１及び第２の中間ワイヤロープの内の１本を前記第１のコネクタから外すことを特徴とする請求項１３に記載の方法。
【請求項１５】
前記第１及び第２の中間ワイヤロープの内の１本を外した後、前記第１のワイヤロープに第２の浮揚性モジュールを連結することを特徴とする請求項１４に記載の方法。
【請求項１６】
前記第１のコネクタの近くで前記第１のワイヤロープに第２の浮揚性モジュールを連結することを特徴とする請求項１１に記載の方法。
【請求項１７】
前記海中移動装置上の第１のウィンチからのワイヤロープを前記第１のコネクタに連結した後、前記第２の浮揚性モジュールを前記第１のワイヤロープに連結することを特徴とする請求項１６に記載の方法。
【請求項１８】
前記重りを支持面と係合させ、前記第１の浮揚性モジュールの上方の前記第１のワイヤロープの一部に水中で湾曲形状を形成させることを特徴とする請求項１１に記載の方法。
【請求項１９】
前記第１のコネクタのための浮力は、前記可撓管に連結された浮揚性モジュールにより与えられ、
前記可撓管に連結された浮揚性モジュールの上方の前記可撓管の一部に、水中で湾曲形状を形成させることを特徴とする請求項１１に記載の方法。
【請求項２０】
前記海中移動装置上の第２のウィンチからのワイヤロープを前記第１のコネクタに連結し、前記第１のウィンチからのワイヤロープを用いて前記第１のコネクタを前記海中移動装置に向けて引っ張ると同時に、前記第２のウィンチからのワイヤロープを用いて前記第１のコネクタを前記海中移動装置に向けて引っ張ることを特徴とする請求項１１に記載の方法。
【請求項２１】
海中コネクタを備えた可撓管を海中移動装置上のコネクタ内に設置する方法であって、
ポンプに上昇管を流体連結し、
前記ポンプから最も遠い先端部で第１のコネクタと流体連結されており、水中の前記第１のコネクタに浮力を与えるために少なくとも部分的に浮揚性を有する可撓管に前記ポンプを流体連結し、
第１のワイヤロープを中間部材に連結し、
第１の中間ワイヤロープを前記中間部材に連結し、
第２の中間ワイヤロープを前記中間部材に連結し、
前記中間部材から最も遠い前記第１及び第２の中間ワイヤロープの先端部を前記第１のコネクタに連結し、
前記中間部材より下方の位置で前記第１のワイヤロープに第１の浮揚性モジュールを連結し、
前記第１のコネクタから最も遠い前記第１のワイヤロープの先端部に重りを連結し、
前記第１のコネクタを海底に向けて降ろし、
前記第１のコネクタの近くの海底に前記海中移動装置を降ろし、
前記海中移動装置上の第１のウィンチからのワイヤロープを前記第１のコネクタに連結し、
前記第１のコネクタから前記第１の中間ワイヤロープを外し、
前記中間部材に第２の浮揚性モジュールを連結し、
前記第１のコネクタから前記第２の中間ワイヤロープを外し、
前記第１のウィンチからのワイヤロープを用いて前記第１のコネクタを前記海中移動装置に向けて引っ張り、
前記第１のコネクタを前記海中移動装置上のコネクタに流体連結することを特徴とする方法。
【請求項２２】
前記海中移動装置上の第２のウィンチからのワイヤロープを前記第１のコネクタに連結し、前記第１のウィンチからのワイヤロープを用いて前記第１のコネクタを前記海中移動装置に向けて引っ張りながら、前記第２のウィンチからのワイヤロープを用いて前記第１のコネクタを前記海中移動装置に向けて引っ張ることを特徴とする請求項２１に記載の方法。
【請求項２３】
前記第２の浮揚性モジュールを前記中間部材に連結する前に、前記海中移動装置上の第１のウィンチからのワイヤロープを前記第１のコネクタに連結することを特徴とする請求項２１に記載の方法。
【請求項２４】
前記第１及び第２の中間ワイヤロープの内の１本を外す前であって、且つ前記第２の浮揚性モジュールを前記中間部材に連結する前に、前記海中移動装置上の第１のウィンチからのワイヤロープを前記第１のコネクタに連結することを特徴とする請求項２１に記載の方法。
【請求項２５】
前記重りを支持面に係合させ、前記第１の浮揚性モジュールの上方の第１のワイヤロープの一部に水中で湾曲形状を形成させることを特徴とする請求項２１に記載の方法。
【請求項２６】
前記第１のコネクタのための浮力は、前記可撓管に連結された浮揚性モジュールにより与えられ、
前記可撓管に連結された浮揚性モジュールの上方の前記可撓管の一部に、水中で湾曲形状を形成させることを特徴とする請求項２１に記載の方法。